(57)【要約】【課題】傘の傾きやがたつきを防止でき、作業の邪魔にもならないようにした上で、不使用時に傘部をコンパクトに収納できるようにすることと、従来の製品より軽量化を図ることである。【解決手段】傘部１２の骨を、連結部４ａの上端部に１点で支持されるように取り付け、連結部４ａの上端部に回動に支持された基骨１３と、基骨１３を起点に回動可能に連結された一対の回動拡張骨１４ａと、１４ｂと、枠骨１５ａと、補強骨１５ｂとで形成し、基骨１３を、閉じ姿勢から開姿勢に姿勢変更することにより、折り畳みを可能とし、不使用時に傘部１２をコンパクトに収納できるとともに、基骨を少なくしても１本にしたことにより、基骨の本数を低減できる結果、従来の製品より軽量化が図ることができた。【選択図】図２
2017023579.tif 000002
【特許請求の範囲】
【請求項１】
装着時に身体の背中に上下に向けて装着される背負子部と、
前記背負子部の下端部から左右に固定された腰部と、
装着時に頭より上方に張り出した骨に傘布が張られる傘部と、
前記背負子部と前記傘部とを上下で固定する連結部とを含み、前記傘部を前記連結部の上端部に１点で支持されるように取り付けた身体装着型傘具において、
前記傘部の骨は、前記連結部の上端部に回動に支持された基骨と、
前記基骨を起点に回動可能に連結された一対の第一の回動拡張骨と、
前記基骨を起点に回動可能に連結された一対の第二の回動拡張骨と、
第一の回動拡張骨と第二の回動拡張骨とを連結する補強骨とを有し、
基骨は、前記連結部に沿う閉じ姿勢と前記連結部に対して所定の角度を有する開姿勢との間で回動可能に設けられており、基骨の閉じ姿勢から開姿勢への回動に連動して、一対の第一の回動拡張骨同士がなす角度が拡張すると共に、一対の第二の回動拡張骨同士がなす角度が拡張する、身体装着型傘具。
【請求項２】
前記腰部により、装着時に腰と密接することにより、装着時の安定感を保つことを可能にした請求項１に記載の身体装着型傘具。
【請求項３】
前記背負子部と前記腰部の端部とを接続され、互いに結合可能な一対の肩ベルトをさらに含む、請求項１または２に記載の身体装着型傘具。
【請求項４】
前記腰部の先端部に接続した一対の腰ベルトをさらに含む、請求項１〜３のいずれか一項に記載の身体装着型傘具。
【請求項５】
開閉ボタンを押すことで、基骨を、閉じ姿勢から開姿勢に姿勢変更する請求項１〜４のいずれか一項に記載の身体装着型傘具。
【請求項６】
前記連結部の上端部に傾動する傾動爪を取り付け、前記傘部に前記傾動爪を係止する鈎部材を取り付けて、前記折り畳み可能とした傘部を前記連結部の前方へ張り出すように回動したときに、前記傾動爪が直立した状態で前記鈎部材に係止されて、前記傘部が前方へ張り出す位置で保持され、前記傾動爪を傾動したときに、前記鈎部材による係止が解除されて、前記傘部が折り畳まれるようにした請求項１〜５のいずれか一項に記載の身体装着型傘具。
【請求項７】
前記傘部の傘布を着脱可能とし、この傘布の外周部に、弾性復元力で環状に拡がる弾性ワイヤ部材を取り付けた請求項１〜６のいずれか一項に記載の身体装着型傘具。
【請求項８】
一端が接続部材に静止状態で連結され、当該補強骨に沿って移動可能な回動連結骨をさらに含む、請求項１〜７のいずれか一項に記載の身体装着型傘具。
【発明の詳細な説明】
【技術分野】
【０００１】
本発明は、身体の背中に装着される身体装着型傘具に関するものである。
【背景技術】
【０００２】
雨傘や日傘をさしたときに、両手が自由に使用できるように、これらの傘を身体に保持するようにした各種の傘保持具が提案されている（例えば、特許文献１、２参照）。特許文献１に記載されたものでは、腰に回される腰ベルトと右肩に掛けられる肩ひもとに、傘の把手と心棒を取り付けて、傘を身体の前面右側に保持するようにしている。また、特許文献２に記載されたものでは、背中ゴムバンド付背中平板と肩ベルト付肩平板とに傘の把手と心棒を取り付けて、傘を身体の背中に保持するようにしている。この他にも、傘の把手や心棒を首や肩に掛けて保持するようにしたものもある。
【０００３】
また、傘の心棒を二股状になる中軸とし、二股状に開いた中軸の下端部をズボンの前面上端に取り付け、これらの中軸の中途部を、ズボンの背面上端に取り付けたＹ字状の吊りバンドの上端に設けたフックに取り付けて、身体の前面に装着するようにした傘セットも提案されている（例えば、特許文献３参照）。
【０００４】
特許文献１、２に記載されたように、傘の心棒や把手を取り付けて傘を身体に保持する傘保持具は、通常の傘は、傘布が張られた傘部が心棒の先端部に一点で支持されるように取り付けられているので、傘を差して、農作業、釣り、カメラ撮影等の作業のために身体を動かしたり、風が吹いたりすると、心棒に大きなモーメントを発生し、心棒や把手の取り付け部に大きなモーメント荷重が作用する。このため、保持された傘が傾いたり、がたついたりして不安定になる問題があった。
【０００５】
また、特許文献３に記載された傘セットも、傘部が心棒の先端部に一点で支持されるように取り付けられているので、傘を差して作業のために身体を動かしたり、風が吹いたりすると、心棒に大きなモーメントが発生する。この傘セットは、心棒が二股状の中軸とされ、二股状に開けられた中軸が、ズボンの前面上端とＹ字状の吊りバンドの上端に設けたフックに取り付けられるので、上述した傘保持具よりは、各取り付け部に作用するモーメント荷重に低減することができるが、二股状に開けられた中軸は開き間隔を固定されず、独立にズボンの上端や吊りバンドのフックに取り付けられているので、傘の傾きやがたつきを十分に抑制することはできない。この傘セットは、身体の前面に装着されるので、作
業の邪魔になる問題もあった。
【０００６】
上述した問題を解決するために、本発明者らは、装着時に身体の背中に上下に向けて装着される背負子部と、前記背負子部の下端部から左右に固定された腰部と、装着時に頭より上方に張り出した骨に傘布が張られる傘部と、前記背負子部と前記傘部とを上下で固定する連結部とを含み、前記傘部を前記連結部の上端部に１点で支持されるように取り付けた身体装着型傘具を先に提案している（例えば、特許文献４参照）。特許文献４に提案したものでは、傘部を背負子部の前面側へ折り畳み可能とし、この傘部の骨を、前後方向へ延びる縦骨とで形成している。
【先行技術文献】
【特許文献】
【０００７】
【特許文献１】特開平７−２５５５２０号公報
【特許文献２】特開２００４−１６７９４号公報
【特許文献３】特開２０００−１３９５３３号公報
【特許文献４】特開２００４−１１５２８号公報
【発明の概要】
【発明が解決しようとする課題】
【０００８】
特許文献４に先に提案した身体装着型傘具は、傘を差して身体を動かしたり、風が吹いたりしても、傘の傾きやがたつきを防止でき、かつ、作業の邪魔にならないが、傘部の左右方向に延びる伸縮可能な横骨を縮めても、その先端が前後方向へ延びる２本の縦骨の両側へ突出する。このため、持ち運び等の不使用時に、傘部を傘袋等の容器にコンパクトに収納し難い問題がある。
【０００９】
また、使用時には、突風や強風が吹いたときに、傘部にかかる風圧を逃がすことができずに、装着者が風に煽られる恐れと、伸ばした横骨の先端が左右方向に突き出して、周りの人の顔等に当たる恐れもある。
【００１０】
そこで、本発明の課題は、傘の傾きやがたつきを防止でき、作業の邪魔にもならないようにした上で、不使用時に傘部をコンパクトに収納できるようにすることと、傘の本数を減らし、軽量化を図ることである。
【課題を解決するための手段】
【００１１】
上記の課題を解決するために、請求項１に記載の発明は、装着時に身体の背中に上下に向けて装着される背負子部と、前記背負子部の下端部から左右に固定された腰部と、装着時に頭より上方に張り出した骨に傘布が張られる傘部と、前記背負子部と前記傘部とを上下で固定する連結部とを含み、前記傘部を前記連結部の上端部に１点で支持されるように取り付けた身体装着型傘具において、前記傘部の骨は、前記連結部の上端部に回動に支持された基骨と、前記基骨を起点に回動可能に連結された一対の第一の回転拡張骨と、前記基骨を起点に回動可能に連結された一対の第二の回動拡張骨と、第一の回動拡張骨と第二の回動拡張骨とを連結する補強骨とを有し、基骨は、前記連結部に沿う閉じ姿勢と前記連結部に対して所定の角度を有する開姿勢との間で回動可能に設けられており、基骨の閉じ姿勢から開姿勢への回動に連動して、一対の第一の回動拡張骨同士がなす角度が拡張すると共に、一対の第二の回動拡張骨同士がなす角度が拡張する、身体装着型傘具を提供する。
【００１２】
請求項２に記載の発明は、前記腰部により、装着時に腰と密接することにより、装着時の安定感を保つことを可能にした請求項１に記載の身体装着型傘具である。
【００１３】
請求項３に記載の発明は、前記背負子部と前記腰部の端部とを接続され、互いに結合可能な一対の肩ベルトをさらに含む、請求項１〜２のいずれか一項に記載の身体装着型傘具である。
【００１４】
請求項４に記載の発明は、前記腰部の先端部に接続した一対の腰ベルトをさらに含む、請求項１〜３のいずれか一項に記載の身体装着型傘具である。
【００１５】
請求項５に記載の発明は、開閉ボタンを押すことで、基骨を、閉じ姿勢から開姿勢に姿勢変更する請求項１〜４のいずれか一項に記載の身体装着型傘具である。
【００１６】
請求項６に記載の発明は、前記連結部の上端部に傾動する傾動爪を取り付け、前記傘部に前記傾動爪を係止する鈎部材を取り付けて、前記折り畳み可能とした傘部を前記連結部の前方へ張り出すように回動したときに、前記傾動爪が直立した状態で前記鈎部材に係止されて、前記傘部が前方へ張り出す位置で保持され、前記傾動爪を傾動したときに、前記鈎部材による係止が解除されて、前記傘部が折り畳まれるようにした、請求項１〜５のいずれか一項に記載の身体装着型傘具である。
【００１７】
請求項７に記載の発明は、前記傘部の傘布を着脱可能とし、この傘布の外周部に、弾性復元力で環状に拡がる弾性ワイヤ部材を取り付けた請求項１〜６に記載の身体装着型傘具である。
【００１８】
請求項８に記載の発明は、一端が接続部材に静止状態で連結され、当該補強骨に沿って移動可能な回動連結骨をさらに含む、請求項１〜７のいずれか一項に記載の身体装着型傘具である。
【発明の効果】
【００１９】
請求項１に記載の発明によれば、回動拡張骨を基骨に重ね合わせるように折り畳み可能としたので、作業の邪魔にもならないようにした上で、不使用時に傘部をコンパクトに収納することができる。また、基骨を少なくしても１本にしたことにより、基骨の本数を低減できる結果、軽量化が図ることができる。
【００２０】
請求項２に記載の発明によれば、腰部を設けたことにより、傘の傾きやがたつきを防止でき、装着時の安定性を向上することができる。
【００２１】
請求項３に記載の発明によれば、肩ベルトを設けたことにより、傘のがたつきを防止でき、装着時の安定性を向上することができる。
【００２２】
請求項４に記載の発明によれば、腰ベルトを設けたことにより、傘のがたつきを防止でき、装着時の安定性を向上することができる。
【００２３】
請求項５に記載の発明によれば、開閉ボタンを押すことで、閉じ姿勢から開姿勢に即座に姿勢変更することができる。
【００２４】
請求項６に記載の発明によれば、連結部の上端部に傾動する傾動爪を取り付け、傘部に傾動爪を係止する鈎部材を取り付けて、折り畳み可能とした傘部を連結部の前方へ張り出すように回動したときに、傾動爪が直立した状態で鈎部材に係止されて、傘部が前方へ張り出す位置で保持され、傾動爪を傾動したときに、鈎部材による係止が解除されて、傘部が折り畳むことができる。
【００２５】
請求項７に記載の発明によれば、弾性復元力で環状に拡がる弾性ワイヤ部材を取り付けた傘布を着脱することができる。
【００２６】
請求項８に記載の発明によれば、回動連結骨の移動によって傘の開閉をスムーズに行えるので、使用時に突風や強風が吹いたときに、回動連結骨の移動によって、傘部にかかる風圧を逃がして、装着者が風に煽られるのを防止することができる。
【図面の簡単な説明】
【００２７】
【図１】身体装着型傘具の実施形態を示す側面図である。
【図２】図１のカバーシートと傘布を取り付けた身体装着型傘具を示す外観斜視図である。
【図３】図１のカバーシートと傘布を取り付けた身体装着型傘具の折り畳み時の外観側面図である。
【図４】縦枠部材と傘部の連結部を拡大して示す断面図である。
【図５】図１のカバーシートを示す展開平面図である。
【発明を実施するための形態】
【００２８】
以下、図面に基づき、本発明の実施形態を説明する。
【００２９】
この身体装着型傘具は、図１および図２に示すように、身体Ａの背中に上下に向けて装着される背負子部１と、背負子部１の下端部から左右に固定された腰部１ｂと、背負子部１の上端部から身体Ａの前方へ張り出し、骨に傘布１１が張られる傘部１２と、背負子部１と傘部１２とを上下で固定する連結部４ａとを含む。
【００３０】
図１および図２に示すように、傘部１２は、連結部４ａの上端部に１点で支持されている。
【００３１】
図１および図２に示すように、背負子部１は、両肩に掛けられる２本の肩ベルト２ａ、２ｂと、腰部に回される腰ベルト３ａ、３ｂとで、両方で使用者の背中に装着されようになっている。
【００３２】
図２および図３に示すように、背負子部１と伸縮可能な連結部４ａを接続する、接続部材４ｂによって、２本の棒状部材で形成された縦枠部材が構成されている。
【００３３】
図１および図２に示すように、連結部の上端部に張られている傘布１１は、装着時には使用者の頭より上方および後方に張られている。
【００３４】
図２および図４に示すように、傘部１２の骨は、連結部４ａの上端部に回動に支持された基骨１３と、基骨１３を起点に回動可能に連結された一対の第一の回動拡張骨１４ａと、第二の回動拡張骨１４ｂと、第一の回動拡張骨１４ａと第二の回動拡張骨１４ｂを連結する補強骨１５ｂとを含む。
【００３５】
図４に示すように、傘部１２の骨は、回動拡張骨１４ａ、１４ｂが拡張されたときに、基骨１３の両側で前後方向に連なる枠骨１５ａをさらに含む。
【００３６】
図２および図３に示すように、回動連結骨１４ｃは、一端が接続部材４ｂに静止状態で連結されており、他端が補強骨１５ｂに沿って移動可能に設けられている。
【００３７】
図２および図３に示すように、基骨１３は、連結部４ａに沿う閉じ姿勢と、連結部４ａに対して所定の角度を有する開姿勢との間で回動可能に設けられている。
【００３８】
図２および図３に示すように、基骨１３の閉じ姿勢から開姿勢への回動に連動して、一対の第一の回動拡張骨１４ａ同士がなす角度が拡張すると共に、一対の第二の回動拡張骨１４ｂ同士がなす角度が拡張可能に設けられている。
【００３９】
図２に示すように、基骨１３を起点に、一対の第一の回動拡張骨１４ａと一対の第二の回動拡張骨１４ｂが、Ｖ字状に拡張されようになっている。
【００４０】
図３および図４に示すように、連結部４ａの上端部と、後述する傘部１２の基骨１３を形成する基端部には、傘部１２を連結部４ａの前面側へ折り畳み可能にピン５ａで枢着する連結部材６ａ、６ｂが取り付けられている。連結部４ａの連結部材６ａには、上端に爪が形成された傾動爪８がピン６ｂで枢着され、傘部１２を前方へＶ字状に張り出すように回動させたときに、傾動爪８が直立した状態で、傘部１２側の連結部材７ｂに形成された鈎部９に係止され、傘部１２が前方へ張り出す位置で保持されるようになっている。傾動爪８はコイルばね１０によって、鈎部９に係止される回動方向に付勢され、傾動爪８を枢着するピン６ｂの下方には開閉ボタン８ａが設けられている。この開閉ボタン８ａを押して傾動爪８を傾動したときに、鈎部９による係止が解除されて、傘部１２が折り畳まれるように構成されている。
【００４１】
図５に示すように、傘布の外周部に、弾性復元力で環状に拡がる弾性ワイヤ部材１１ａが取り付けられている。弾性ワイヤ部材１１ａは金属ワイヤ部材を樹脂で被覆したものである。
【００４２】
図５に示すように、傘布１１は着脱可能とされ、内面側の複数箇所に、基骨１３と回動拡張骨１４に着脱するための面ファスナ１６が取り付けられている。なお、面ファスナ１６は重ね合わされる２枚のファスナ片の間に基骨１３と回動拡張骨１４ａと第二の回動拡張骨１４ｂを挟持するように構成されている。
【００４３】
図３および図５に示すように、傘布１１は、傘部１２に装着したときに、弾性ワイヤ部材１１ａの弾性復元力によって自然に拡がり、不使用時はコンパクトに折り畳んで収納することができる。また、基骨を少なくしても１本にしたことにより、基骨の本数を低減できる結果、軽量化が図ることができる。
【符号の説明】
【００４４】
１ａ  背負子部
１ｂ  腰部
２ａ  肩ベルト
２ｂ  肩ベルト
３ａ  腰ベルト
３ｂ  腰ベルト
４ａ  連結部
４ｂ  接続部材
５ａ、５ｂ  ピン
６ａ、６ｂ  連結部材
７  傾動爪
８  開閉ボタン
９  鈎部
１０  コイルバネ
１１  傘布
１１ａ  弾性ワイヤ部材
１２  傘部
１３  基骨
１４ａ、１４ｂ、  回動拡張骨
１４ｃ  回動連結骨
１５ａ  枠骨
１５ｂ  補強骨
１６  面ファスナ
【図１】
2017023579.tif 000003
【図２】
2017023579.tif 000004
【図３】
2017023579.tif 000005
【図４】
2017023579.tif 000006
【図５】
2017023579.tif 000007